(57)【要約】【課題】  たとえばディスク状記録媒体に対し生産性の高い印刷を行うことを可能とする画像読取装置、画像読取記録装置を提供する。【解決手段】  画像読取装置は、読取対象物載置板の読取対象物載置面側に形成された略長方形の読取対象物規制面Ｂ２〜Ｂ５を形成する第１の読取対象物規制手段と、前記第１の読取対象物規制手段の１辺または隣り合う２辺を切り欠く形で設けられた円弧状の面を有する第２の読取対象物規制手段とを有し、たとえばディスク状記録媒体７または８のラベルのみを読み出し、同様の記録媒体の所定の位置に印刷することができる。【選択図】        図４
2006023490.tif 000002
【特許請求の範囲】
【請求項１】
透明な読取対象物載置板の読取対象物載置面と反対側から文字や画像を読み取る画像読取手段を備えた画像読取装置において、
前記読取対象物載置面側に形成された、略長方形の読取対象物規制面を形成する第１の読取対象物規制手段と、前記第１の読取対象物規制手段の１辺または隣り合う２辺を切り欠く形で設けられた円弧状の面を有する第２の読取対象物規制手段と、を備えたことを特徴とする画像読取装置。
【請求項２】
請求項１に記載の画像読取装置において、
前記画像読取手段が前記第１の読取対象物規制手段の２辺を画像読取の基準として動作し、かつ前記第２の読取対象物規制手段が前記第１の読取対象物規制手段の１辺に設けられている場合は、前記第２の読取対象物規制手段は前記画像読取の基準となる２辺とは異なる辺に設けられることを特徴とする画像読取装置。
【請求項３】
請求項１に記載の画像読取装置において、
前記画像読取手段が前記第１の読取対象物規制手段の２辺を画像読取の基準として動作し、かつ前記第２の読取対象物規制手段が前記第１の読取対象物規制手段の２辺に設けられている場合は、前記第２の読取対象物規制手段は前記画像読取の基準となる２辺のいずれかの辺に１つ、異なる辺に１つそれぞれ設けられることを特徴とする画像読取装置。
【請求項４】
請求項３に記載の画像読取装置において、
前記第２の読取対象物規制手段が有する、前記第１の読取対象物規制手段の辺からの切り欠きの深さは、前記画像読取の基準となる辺に設けられた切り欠きより、異なる辺に設けられた切り欠きの方が深いことを特徴とする画像読取装置。
【請求項５】
請求項１に記載の画像読取装置において、
前記第２の読取対象物規制手段が複数の曲率の規制面を有することを特徴とする画像読取装置。
【請求項６】
請求項５に記載の画像読取装置において、
前記第２の読取対象物規制手段が前記第１の読取対象物規制手段の１辺に設けられている場合は、前記複数の曲率を有する規制面の中心点が前記第２の読取対象物規制手段が設けられた前記第１の読取対象物規制手段の１辺と略直角の線上に並ぶことを特徴とする画像読取装置。
【請求項７】
請求項１に記載の画像読取装置において、
前記第２の読取対象物規制手段が前記第１の読取対象物規制手段の１辺に設けられている場合は、第２の読取対象物規制手段の円弧状の規制面の中心点が前記第２の読取対象物規制手段が設けられた前記第１の読取対象物規制手段の１辺の略中央を通る該１辺と略直角の線上にあることを特徴とする画像読取装置。
【請求項８】
透明な読取対象物載置板の読取対象物載置面と反対側から文字や画像を読み取る画像読取手段を備えた画像読取装置において、
前記読取対象物載置面側に形成された、略長方形の読取対象物規制面を形成する第１の読取対象物規制手段と、前記第１の読取対象物規制手段の１辺に設けられ、読取対象物載置面に平行な面内を回動可能な板状の第３の読取対象物規制手段と、を備えたことを特徴とする画像読取装置。
【請求項９】
請求項８に記載の画像読取装置において、
前記画像読取手段が前記第１の読取対象物規制手段の２辺を画像読取の基準として動作し、かつ前記第３の読取対象物規制手段が前記第１の読取対象物規制手段の１辺に設けられ、前記第３の読取対象物規制手段は前記画像読取の基準となる２辺とは異なる辺に設けられることを特徴とする画像読取装置。
【請求項１０】
請求項８に記載の画像読取装置において、
前記第３の読取対象物規制手段は１面が前記第１の規制手段の１辺と略同一面となる待機位置を有することを特徴とする画像読取装置。
【請求項１１】
請求項１０に記載の画像読取装置において、
前記第３の読取対象物規制手段は前記待機位置に戻る方向に付勢されることを特徴とする画像読取装置。
【請求項１２】
請求項８に記載の画像読取装置において、
前記第３の読取対象物規制手段は、前記読取対象物載置板の読取対象物載置面側に所定の高さを有する凹部が設けられていることを特徴とする画像読取装置。
【請求項１３】
請求項８に記載の画像読取装置において、
前記第３の読取対象物規制手段の位置を検出する検出手段を備え、前記検出手段の検出結果により読取対象物の種類を判定することを特徴とする画像読取装置。
【請求項１４】
請求項１ないし７のいずれかに記載の画像読取装置において、
前記第２の読取対象物規制手段は、ディスク状記録媒体のラベル読み取りの際に使用するものであることを特徴とする画像読取装置。
【請求項１５】
請求項８ないし１３のいずれかに記載の画像読取装置において、
前記第３の読取対象物規制手段は、ディスク状記録媒体のラベル読み取りの際に使用するものであることを特徴とする画像読取装置。
【請求項１６】
記録装置の上部に、請求項１ないし１５のいずれかに記載の画像読取装置を備え、前記画像読取装置で読み取った、前記第２または第３の読取対象物規制手段で規制された読取対象物における所定位置の画像を、前記記録装置により記録対象物の所定の位置に記録するように制御する制御手段を備えたことを特徴とする画像読取記録装置。
【請求項１７】
記録装置の上部に請求項１３に記載の画像読取装置を備えた画像読取記録装置において、
前記検出手段の検出結果により判定した読取対象物の種類と前記記録装置の記録対象物の種類が異なる場合に、読み取った画像の大きさを変更して前記記録対象物に記録することを特徴とする画像読取記録装置。
【請求項１８】
請求項１６または１７に記載の画像読取記録装置において、
前記記録装置は、インク滴を記録媒体に吐出するタイプの記録装置であることを特徴とする画像読取記録装置。
【発明の詳細な説明】
【技術分野】
【０００１】
本発明は、たとえばＣＤ−Ｒのような、ディスク状の厚みのある媒体の表面を読み取って同様な媒体に画像を記録するのに好適な画像読取装置、画像読取記録装置に関する。
【背景技術】
【０００２】
一般に、ＣＤ−Ｒメディア等のディスク状の所定量（１．２ｍｍ程度）の厚みのある記録媒体は剛性を有し、屈曲性をほとんど有していない。このため、このような剛性記録媒体の表面にラベル等の画像を記録する手段としては、従来、スクリーン印刷やオフセット印刷、インクジェット記録等の印刷法が用いられている。
【０００３】
しかし、スクリーン印刷やオフセット印刷法では、印刷すべき原画像に対しその原画像に使われている色毎にスクリーン版やオフセット版を作製する必要がある。このため、原画像が多色になればなるほど、スクリーン版やオフセット版の枚数が増えてしまい、これらの多数の版を微細な位置合わせを行いつつ印刷装置に装着する手間も必要であった。また、印刷装置の構成上色数も限定される一方、要求される色に相当する色のインクを新たに調合する必要もあった。
【０００４】
従って、スクリーン版やオフセット版の版代が経費として必要となるほか、制作に日数がかかり、特に印刷を開始するまでの準備工程に手間がかかっていた。このため、印刷枚数の少ないロットの印刷では、記録媒体１枚当たりの印刷費が割高となる不都合もある。
【０００５】
また、印刷終了後には、インクの洗浄およびその廃液の処理に手間がかかり、さらにその処理施設等をも特別に必要としていた。また、使用する版の数に比例して装置が大型化するため、大型装置の設置スペースを必要とすると共に、再度の印刷等のために印刷の終了した版を保存しておく場合には、版の保存スペースをも必要としていた。
【０００６】
そこで少量しか作成しないような個人レベルでも安価に印刷が可能なインクジェット記録によるラベル作成が求められるようになった。当初はドーナツ型のシールに印刷し、そのシールをＣＤ―Ｒに貼るものが提案された。その後インクジェットプリンタによる印刷に対応したラベル面に吸水性を持たせたプリンタブルディスクも提案されている。
【０００７】
ユーザはデジタルカメラやデジタルビデオで撮影したデジタル画像をＣＤ−Ｒメディアに記録した場合に、ラベル面に記録内容を示す好みの画像をダイレクトにプリントすることができるようになっている（例えば、特許文献１参照）。
【特許文献１】特開２００４−１２２５８３号公報
【発明の開示】
【発明が解決しようとする課題】
【０００８】
しかしながら、ＣＤ−Ｒに印刷するには印刷したい画像からドーナツ状に画像を切り出さなくてはならなかったり、印刷位置がずれないように、パソコンと専用ソフトが必要になる。また、友人から受け取ったＣＤ−Ｒメディアのようにラベル面を記録した元々のデジタルデータが手元に無い場合は簡単にバックアップメディアを作成できないといった不都合があった。
【０００９】
本発明は、このような状況のもとでなされたもので、たとえばディスク状記録媒体に対し生産性の高い印刷を行うことを可能とする画像読取装置、画像読取記録装置を提供することを課題とするものである。
【課題を解決するための手段】
【００１０】
前記課題を解決するために、本発明では、画像読取装置を次の（１）〜（１５）のとおりに構成し、画像読取記録装置を次の（１６）ないし（１８）のとおりに構成する。
【００１１】
（１）透明な読取対象物載置板の読取対象物載置面と反対側から文字や画像を読み取る画像読取手段を備えた画像読取手段を備えた画像読取装置において、
前記読取対象物載置面側に形成された、前記読取対象物載置板の読取対象物載置面側に形成された略長方形の読取対象物規制面を形成する第１の読取対象物規制手段と、前記第１の読取対象物規制手段の１辺または隣り合う２辺を切り欠く形で設けられた円弧状の面を有する第２の読取対象物規制手段と、を備えた画像読取装置。
【００１２】
（２）前記（１）に記載の画像読取装置において、
前記画像読取手段が前記第１の読取対象物規制手段の２辺を画像読取の基準として動作し、かつ前記第２の読取対象物規制手段が前記第１の読取対象物規制手段の１辺に設けられている場合は、前記第２の読取対象物規制手段は前記画像読取の基準となる２辺とは異なる辺に設けられる画像読取装置。
【００１３】
（３）前記（１）に記載の画像読取装置において、
前記画像読取手段が前記第１の読取対象物規制手段の２辺を画像読取の基準として動作し、かつ前記第２の読取対象物規制手段が前記第１の読取対象物規制手段の２辺に設けられている場合は、前記第２の読取対象物規制手段は前記画像読取の基準となる２辺のいずれかの辺に１つ、異なる辺に１つそれぞれ設けられる画像読取装置。
【００１４】
（４）前記（３）に記載の画像読取装置において、
前記第２の読取対象物規制手段が有する、前記第１の読取対象物規制手段の辺からの切り欠きの深さは、前記画像読取の基準となる辺に設けられた切り欠きより、異なる辺に設けられた切り欠きの方が深い画像読取装置。
【００１５】
（５）前記（１）に記載の画像読取装置において、
前記第２の読取対象物規制手段が複数の曲率の規制面を有する画像読取装置。
【００１６】
（６）前記（５）に記載の画像読取装置において、
前記第２の読取対象物規制手段が前記第１の読取対象物規制手段の１辺に設けられている場合は、前記複数の曲率を有する規制面の中心点が前記第２の読取対象物規制手段が設けられた前記第１の読取対象物規制手段の１辺と略直角の線上に並ぶ画像読取装置。
【００１７】
（７）前記（１）に記載の画像読取装置において、
前記第２の読取対象物規制手段が前記第１の読取対象物規制手段の１辺に設けられている場合は、第２の読取対象物規制手段の円弧状の規制面の中心点が前記第２の読取対象物規制手段が設けられた前記第１の読取対象物規制手段の１辺の略中央を通る該１辺と略直角の線上にある画像読取装置。
【００１８】
（８）透明な読取対象物載置板の読取対象物載置面と反対側から文字や画像を読み取る画像読取手段を備えた画像読取装置において、
前記読取対象物載置面側に形成された、前記読取対象物載置板の読取対象物載置面側に形成された略長方形の読取対象物規制面を形成する第１の読取対象物規制手段と、前記第１の読取対象物規制手段の１辺に設けられ、読取対象物載置面に平行な面内を回動可能な板状の第３の読取対象物規制手段と、を備えた画像読取装置。
【００１９】
（９）前記（８）に記載の画像読取装置において、
前記画像読取手段が前記第１の読取対象物規制手段の２辺を画像読取の基準として動作し、かつ前記第３の読取対象物規制手段が前記第１の読取対象物規制手段の１辺に設けられ、前記第３の読取対象物規制手段は前記画像読取の基準となる２辺とは異なる辺に設けられる画像読取装置。
【００２０】
（１０）前記（８）に記載の画像読取装置において、
前記第３の読取対象物規制手段は１面が前記第１の規制手段の１辺と略同一面となる待機位置を有する画像読取装置。
【００２１】
（１１）前記（１０）に記載の画像読取装置において、
前記第３の読取対象物規制手段は前記待機位置に戻る方向に付勢される画像読取装置。
【００２２】
（１２）前記（８）に記載の画像読取装置において、
前記第３の読取対象物規制手段は、前記読取対象物載置板の読取対象物載置面側に所定の高さを有する凹部が設けられている画像読取装置。
【００２３】
（１３）前記（８）に記載の画像読取装置において、
前記第３の読取対象物規制手段の位置を検出する検出手段を備え、前記検出手段の検出結果により読取対象物の種類を判定する画像読取装置。
【００２４】
（１４）前記（１）ないし（７）のいずれかに記載の画像読取装置において、
前記第２の読取対象物規制手段は、ディスク状記録媒体のラベル読み取りの際に使用するものである画像読取装置。
【００２５】
（１５）前記（８）ないし（１３）のいずれかに記載の画像読取装置において、
前記第３の読取対象物規制手段は、ディスク状記録媒体のラベル読み取りの際に使用するものである画像読取装置。
【００２６】
（１６）記録装置の上部に、前記（１）ないし（１５）のいずれかに記載の画像読取装置を備え、前記画像読取装置で読み取った、前記第２または第３の読取対象物規制手段で規制された読取対象物における所定位置の画像を、前記記録装置により記録対象物の所定の位置に記録するように制御する制御手段を備えた画像読取記録装置。
【００２７】
（１７）記録装置の上部に前記（１３）に記載の画像読取装置を備え、前記画像読取装置で読み取った画像を前記記録装置により記録対象物に記録する画像読取記録装置において、
前記検出手段の検出結果により判定した読取対象物の種類と前記記録装置の記録対象物の種類が異なる場合に、読み取った画像の大きさを変更して前記記録対象物に記録する画像読取記録装置。
【００２８】
（１８）前記（１６）または（１７）に記載の画像読取記録装置において、
前記記録装置は、インク滴を記録媒体に吐出するタイプの記録装置であることを特徴とする画像読取記録装置。
【発明の効果】
【００２９】
本発明によれば、たとえばＣＤ−Ｒメディア等のディスク状媒体のラベルをその位置情報とともに読み取ることができるので、同様のディスク状媒体上に容易にラベルを作成することができる。
【００３０】
よって、本発明の画像読取記録装置によれば、印刷したい画像を形成するためドーナツ状に画像を切り出す必要が無く、パソコンと専用ソフトが不要になる。つまり自動的に正確に画像記録を行うことができるので、操作者がパソコン、スキャナを使って取り込むにしても、実際にどのくらいの解像度でスキャンしたらいいのかわからないといった操作上の手間も省ける。
【発明を実施するための最良の形態】
【００３１】
以下本発明を実施するための最良の形態を、実施例により詳しく説明する。
【実施例１】
【００３２】
図１、２は、実施例１である“画像読取記録装置”の構成を示す斜視図である。図において、Ａはインクジェット記録装置である記録部、Ｂは原稿を光学的に読み取る読取部、Ｃは読取部Ｂの上に置かれた原稿等を押さえる圧板、Ｄは装置電源部、装置全体を制御するための制御部、パソコン等からのデータを接続する接続部を１箇所にまとめた電装部、Ｅは表示部や操作キーが配設された操作部である。
【００３３】
本図において、まず被記録材（以下記録紙と称す）の流れについての概略説明を行う。本実施例では通常定形のカット紙を用いており、複数枚重ねてオートシートフィーダー１に収納される。オートシートフィーダー１は不図示のスライダによって記録紙のサイズに合わせて記録紙の側面をガイドできるように構成されている。
【００３４】
まずオートシートフィーダー１に収納積載された記録紙は、不図示の給紙ローラおよび不図示の分離パッドによって１枚だけ分離搬送される。その後、記録部Ａまで挟持搬送される。
【００３５】
記録部Ａでは不図示の記録ヘッドによって記録が行なわれ、記録ヘッドの下流に位置し印字がなされた記録紙を装置の下流に搬送する不図示の排紙ローラ、排紙ローラの対向側にあり記録紙の印字面に接触してもインクが転写されることの無い材質で構成された不図示の拍車とから構成される。
【００３６】
排紙ローラと拍車によって搬送された記録紙は装置本体の前部に設けられた記録紙排紙トレイ２上に排出される。
【００３７】
本実施例では通常定形のカット紙の他にＣＤ−Ｒ等の剛性記録媒体にも対応している。一般的にＣＤ−Ｒ等のディスク状媒体は１．２ｍｍ程度の厚さがあるポリカーボネート樹脂等の比較的剛性のある素材で形成されており、通常定形のカット紙のように屈曲した搬送経路を通して給送、印刷することができない。そこでＣＤ−Ｒ専用フィーダーにＣＤ−Ｒをセットし、装置前面の記録紙排紙側から装置に挿入する。フィーダーを装置に挿入するのに連動して、排紙ローラの対向側にある拍車が上方に退避し、装置後方からのＪ字状の記録紙パスも開放されるように構成されている。このためＣＤ−Ｒのような剛性記録媒体であっても、屈曲することなく水平に搬送されることになる。また、一般的なＣＤ−Ｒ等のディスク状媒体は外径１２０ｍｍと８０ｍｍのものがよく利用されている。
【００３８】
記録時にはＣＤ−Ｒを記録ヘッドを通り越して一旦装置後方へ搬送し、再び排紙方向に向かって搬送、記録されるようになっている。
【００３９】
次に図を用いて画像読取部であるフラットベッドスキャナの説明を行う。不図示の密着型イメージセンサは不図示のキャリッジに支持され、副走査方向に沿って移動可能である。キャリッジの移動は不図示のモータから駆動を受けた不図示のタイミングベルトによって行われる。イメージセンサは図示しない光源とレンズと光電変換素子を内蔵しており、原稿載置台としてのコンタクトガラス（図示しない）の裏面に一定の距離を保って移動する。読み取られた画像はフレキシブルケーブル等により本体画像処理部（制御部）に電送される。
読取部Ｂは装置奥部に回動中心３を有し、回動可能に構成されている。読取部Ｂを装置後方に回動することにより、記録ヘッドの交換およびインクタンク４の交換に要する空間が開放される。
【００４０】
次に本実施例の記録部Ａの構成を詳細に説明する。
本実施例で用いる記録ヘッドは、ノズル内に設けた電気熱変換素子の発熱によってインク中に生じた膜沸騰の圧力によってノズル先端の吐出口よりインクを吐出するものである。
【００４１】
本実施例の記録部に用いられる記録ヘッドの吐出原理について説明する。記録ヘッド部は、一般に微細な液体吐出口（オリフィス）、液路およびこの液路の一部に設けられるエネルギー作用部と、該作用部にある液体に作用させる液滴形成エネルギーを発生するエネルギー発生手段とを備え、交換可能である。
【００４２】
このようなエネルギーを発生するエネルギー発生手段としてはピエゾ素子等の電気機械変換体を用いたもの、レーザ等の電磁波を照射して、そこにある液体に吸収させて発熱させ、該発熱による作用で液滴を吐出、飛翔させるようにしたもの、あるいは電気熱変換体によって液体を加熱して液体を吐出させるようにしたもの等がある。その中でも熱エネルギーによって液体を吐出させるインクジェット記録方式に用いられる記録ヘッド部は、記録用の液滴を吐出して飛翔用液滴を形成するための液体吐出口（オリフィス）を高密度に配列することができるために高解像力の記録をすることが可能である。
【００４３】
また、電気熱変換体をエネルギー発生手段として用いた記録ヘッド部は、記録ヘッド部として全体的なコンパクト化も容易で、かつ、最近の半導体分野における技術の進歩と信頼性の向上が著しいＩＣ技術やマイクロ加工技術の長所を十二分に活用でき、長尺化及び面状化（２元化）が容易であること等から、マルチノズル化、高密度実装化が容易で、しかも大量生産性がよく、製造コストも安価なインクジェット記録用ヘッド部を提供することが可能である。
【００４４】
このようにエネルギー発生手段に電気熱変換体を用い、半導体製造プロセスを経て製造されたインクジェット用記録ヘッド部は、一般には各インク吐出口に対応した液路を設け、該液路ごとに該液路を満たす液体に熱エネルギーを作用させて、対応するインク吐出口から液体を吐出して飛翔用液滴を形成する手段としての電気熱変換体が設けられ、各液路には、各液路に連通している共通液室から液体が供給される構造となっている。
【００４５】
次に本実施例の電装部Ｄの構成を詳細に説明する。
電装部Ｄは主に装置全体のシステムを制御するシステムコントロール基板、主に記録系を制御するプリンタコントロール基板、装置に電源を供給する電源ユニット、操作パネルのキーやＬＥＤを実装しているオペレーションコントロール基板等からなる。このうちオペレーションコントロール基板は操作部Ｅとして装置操作性の観点から装置前面に斜めに配置されている。システムコントロール基板、電源ユニットは、図１に示すように全て給紙部の下部に集中配置されており、こうすることで電装基板類をつなぐケーブル類を短くでき組立性が向上する。
【００４６】
次に本実施例装置の制御系の構成を図３のブロック図を用いて説明する。図３において、１０１は装置全体を制御するマイクロプロセッサユニット（ＭＰＵ）であり、システムバス１０２を介して装置全体を制御する。１０３はＭＰＵ１０１の動作のためのプログラムコード、初期値データ、テーブルデータ等を格納したＲＯＭである。１０４は画像バッファ及び画像メモリ等に使用されるＤＲＡＭであり、情報処理端末１３１と送受信する際のデータを一時的に保持するバッファとして使用される。また通信部１２１を介して受信された画像データや読取部１０６から読み取られた画像データ、情報処理端末１３１から送られてきた画像データをファイルとして蓄積するためのメモリとして使用される。１０５はユーザ登録データエリア、ワークエリア等に使用されるＳＲＡＭである。ＤＲＡＭ１０４とＳＲＡＭ１０５はそれぞれバッテリバックアップによって停電等の不慮の障害から保護されている。
【００４７】
１０６は読取部（図１に示す読取ユニットＢ）であり、コンタクトセンサＣＳ１０７、読取画像補正部１０８、読取画像処理部１０９、読取駆動部１１０、ＳＲＡＭ１１１等により構成され、読取駆動部１１０を駆動してコンタクトセンサＣＳ１０７を駆動し、原稿画像をＣＳ１０７によって光学的に読み取って電気的な画像信号に変換する。この信号を読取画像補正部１０８でシェーディング補正等を行い、更に読取画像処理部１０９で画像処理を行って高精細な画像データを出力する。ＳＲＡＭ１１１は画像処理を行う際のバッファとして使用される。
【００４８】
１１２はインクジェット方式記録部（図１に示す記録ユニットＡ）であり、ＳＲＡＭ１１１、記録画像復号化部１１３、記録画像処理部１１４、プリンタ制御用マイコン１１５、プリンタエンジン１１６、記録インターフェイス部１１７等により構成されている。記録画像復号化部１１３はランレングス形式の画像データを生画像データにデータ変換する。記録画像処理部１１４は生画像データを解像度変換、画像の変倍、スムージング、濃度補正等の画像処理を施して高精細な画像データに変換する。ＳＲＡＭ１１１はこれらデータ変換の際のバッファとして使用される。プリンタ制御用マイコン１１５は、インクジェット方式記録部１１２の各動作の制御を行う記録制御用ＭＰＵ、記録制御を行うための各種インストラクションを記述したＲＯＭ、ＲＯＭよりインストラクションを読み出す手段、読み出したインストラクションを処理する処理手段、処理手段が必要とする情報を記憶しておくための入力が可能なＲＡＭ、処理手段によって作り出された信号を出力する出力手段等からなり、これらによってプリンタエンジン１１６の記録制御を行うための信号の入出力が行われる。記録インターフェイス部１１７はプリンタ制御用マイコン１１５とＭＰＵ１０１の間で連携をとるためのインターフェイスである。
【００４９】
１１８は、操作部であり、テンキー等の各種キースイッチ等により構成され、装置の動作指示及び各種情報の入力を行う。１１９は表示部であり、ＬＣＤ、ＬＥＤ等により構成され、装置の状態等の表示を行う。１２０はパネルインターフェイス部であり、ＭＰＵ１０１と操作部１１８及び表示部１１９の連携を取るためのインターフェイスである。
【００５０】
１２１は通信部であり、回線接続装置等の通信接続部１２２、変復調装置等の通信制御部１２３により構成され、回線制御を行うものである。
１２４は通信網であり、１２５は電話器である。
【００５１】
１２６は音響装置であり、スピーカ等により構成され、各種状態を音響により装置使用者に通知するものである。
【００５２】
１２７は外部インターフェイス部であり、ＭＰＵ１０１等と情報処理端末１３１との間のデータ送受信を行って情報処理端末１３１から装置を制御する。
【００５３】
１２８は不揮発性記憶装置であり、画像情報等の保存に使用される大容量の不揮発性のメモリであり、電源が切れても情報が消えることはない。
【００５４】
１２９は画像データの符号化、復号化を行うための画像符号／復号部であり、画像復号化部１２９ａ、画像符号化部１２９ｂ、内部ＳＲＡＭ１２９ｃから構成される。
【００５５】
１３０は本装置に電源を供給する電源供給部である。１３１は外部に接続されるコンピュータ等の情報処理端末である。
【００５６】
本実施例での動作をコピー動作、ファクシミリ受信動作、プリンタ動作のそれぞれについて説明する。
【００５７】
（コピー動作）
読取部１０６のＣＳ１０７で読み取られた原稿の画情報は読取画像補正部１０８によってシェーディング補正等の処理を行い、更に読取画像処理部１０９によって２値化及び画像変換処理を行って画像符号／復号部１２９の画像符号化部１２９ｂに入力される。入力された画像データは内部ＳＲＡＭ１２９ｃに展開され、画像符号化部１２９ｂによって圧縮符号化され、ＤＲＡＭ１０４に蓄積される。また同時にその画像データの管理情報をＳＲＡＭ１０５に格納する。ＤＲＡＭ１０４に蓄積された画像符号化データは画像符号／復号部１２９の画像復号化部１２９ａによって伸長復号化され、内部ＳＲＡＭ１２９ｃに画像データとして展開される。展開された画像データは記録画像処理部１１４によって補正及び画像変換処理を行った後、プリンタ制御用マイコン１１５の制御のもとプリンタエンジン１１６によって記録紙に印字出力される。
【００５８】
（ファクシミリ受信動作）
着信があると受信データは通信接続部１２２を通して通信制御部１２３に入力される。そしてファクシミリ通信の手順信号の送受信を行い、その後画像データの受信を開始する。画像データは通信制御部１２３で復調され、通信制御部１２３からの入力割込み信号に応じてＭＰＵ１０１の制御のもと１バイトずつＤＲＡＭ１０４の受信バッファに転送される。受信バッファに転送された受信データは画像符号／復号部１２９の画像復号化部１２９ａによって伸長復号化して画像誤りを検査し、内部ＳＲＡＭ１２９ｃに画像データとして展開される。展開された画像データは記録画像処理部１１４によって補正及び画像変換処理を行った後、プリンタ制御用マイコン１１５の制御のもとプリンタエンジン１１６によって記録紙Ｓに印字出力される。
【００５９】
（プリンタ動作）
情報処理端末１３１から外部インターフェイス部１２７に対してコマンド及び受信パラメータを１バイトずつ送出する。外部インターフェイス部１２７で受けたコマンド及び受信パラメータは、該外部インターフェイス部１２７からの入力割込み信号に応じてＭＰＵ１０１の制御のもと１バイトずつＤＲＡＭ１０４の受信バッファに転送される。コマンドには各コマンドを識別するためのコマンドコード、及び次に続く受信パラメータのサイズ等が格納されており、また受信パラメータ内には各コマンドに対する動作を実行するために必要な設定値や画像データが格納されている。受信バッファに転送されたコマンド及び画像データを除く受信パラメータはＭＰＵ１０１によって処理される。
【００６０】
ここで受信パラメータの内容が画像データの場合、その画像データを構成する符号データ若しくは生データは予め受信した受信パラメータが示す画像データ形式情報にしたがって画像符号／復号部１２９の画像復号化部１２９ａによって伸長復号化され、内部ＳＲＡＭ１２９ｃに画像データとして展開される。展開された画像データは画像符号／復号部１２９の画像符号化部１２９ｂによって圧縮符号化され、ＤＲＡＭ１０４に蓄積されると共に、その画像データの管理情報をＤＲＡＭ１０４に格納する。コマンド受信後は該コマンドに対するレスポンス及び送出パラメータを生成し送出する。
【００６１】
レスポンスには受信したコマンドが受け入れられたことを示すＯＫレスポンス、受信したコマンドが間違っていたため受け付けられなかったことを示すＮＧレスポンス、及び動作中等の理由により受信したコマンドが現在受け付けられないことを示すＢＵＳＹレスポンスがあり、また送出パラメータには送信やプリントの結果、ファイルやページの属性、指示されたコマンドに対応した装置情報、中止要求や再送要求等が格納されている。レスポンスはＭＰＵ１０１によってＤＲＡＭ１０４の送信バッファにセットされ、外部インターフェイス部１２７からの入力割込み信号に応じてＭＰＵ１０１の制御のもと１バイトずつ外部インターフェイス部１２７に転送された後、情報処理端末１３１に送出される。
【００６２】
なお、本実施例の画像読取記録装置としては、後述の制御手段としてのＣＰＵと接続され、ＣＰＵ内に作成された画像記録データを転送して画像記録を行うものが挙げられるが、本実施例の画像読取記録装置には、例えば複写機のように記録画像を読み取った後、その画像を記録するものも含まれるものとする。また、図１に示した画像読取記録装置には、記録媒体を自動的に供給し、排出する手段を有しないベーシカルなタイプの搬送手段および記録手段が示されている。
【００６３】
図４、５を用いて読取部Ｂの構成を詳細に説明する。
Ｂ１はコンタクトガラスＧをカバーするスキャナカバー、Ｂ２はスキャナカバーＢ１の副走査方向Ｓにおける基準側突き当て面、Ｂ３はスキャナカバーＢ１の主走査方向における基準側突き当て面、Ｂ４は基準側突き当て面Ｂ３と逆側の規制面、Ｂ５は基準側突き当て面Ｂ２と逆側の規制面である。
【００６４】
７はディスク状の読取媒体であるディスク大、８はディスク大７より外径の小さなディスク小である。
【００６５】
通常の定形サイズの原稿は、基準側突き当て面Ｂ２と基準側突き当て面Ｂ３の交わる位置である基準コーナーＢ６に位置を合わせて載置する。
【００６６】
５は圧板本体であり、この圧板本体５はその端部２箇所に配されたヒンジ５ａにより回動可能に構成され、原稿載置台にかぶさるように配設されている。また、圧板本体５にはコンタクトガラスＧに密接するような白地６が配設されている。厚みのある原稿でも周辺までコンタクトガラスＧに密接するように圧板本体５と白地６との間にはスポンジが配設されている。
【００６７】
圧板本体５を閉じることで原稿は位置が安定し、かつ外部の光が入ることにより読み取った画像に悪影響が出ないようになっている。
【００６８】
図５に詳細を示すように、規制面Ｂ５には略中央部を切り欠くように構成された規制面Ｒが設けられている。
規制面Ｒはディスク小の外径と略等しい曲率を有する規制面Ｒｂとディスク大７の外径と略等しい曲率を有し、規制面Ｒｂの両側に配設された規制面Ｒａからなる。規制面Ｒａの曲率半径は約６０ｍｍ、規制面Ｒｂの曲率半径は約４０ｍｍである。
【００６９】
複写したいオリジナルのラベルを持つディスクを規制面Ｒに突き当てるように置くと、ディスクのサイズの大小に応じて所定の位置にディスク７または８が位置決めされる。
ディスク７及び８の中心位置７ａ、８ａの差Ｘは規制面Ｒの位置と曲率より計算可能である。
【００７０】
ディスク７または８を置いた後、圧板Ｃを閉め、記録用ＣＤ−Ｒをセットし、操作部Ｅからディスクサイズの大小を設定し、ＣＤ−Ｒラベルコピーを行うボタン等を押下する。ディスク７または８が載置された際のディスク中心位置は計算可能であるため、装置はディスクの大小サイズの設定に応じて外径分読み取りを行い、中央部とディスク外周より外側をマスキング処理し、いわゆるラベル面のみを切り出して記録画像として出力することができる。
【００７１】
中心位置７ａ、８ａは副走査方向Ｓの方向に直線的に配置されているので主走査方向の中心位置は固定となり、副走査方向の位置と外径の差のみを考慮して読取、データのマスキング処理を行う。
【００７２】
前述のように構成することで、通常の定形サイズの原稿は規制面Ｒを基準としないため規制面の影響を受けずに載置することが可能である。
【００７３】
以上説明したように、本実施例によれば、ＣＤ−Ｒからラベル面のみを切り出して、記録用ＣＤ−Ｒの所定の位置に記録することができるので、生産性の高いラベル印刷を行うことを可能となる。
【実施例２】
【００７４】
実施例２である“画像読取記録装置”について説明する。本実施例の全体構成および制御構成は実施例１と同様なので、同等の部分については一部説明を省略する。
【００７５】
図６、７を用いて読取部Ｂの構成を詳細に説明する。
Ｂ１はコンタクトガラスＧをカバーするスキャナカバー、Ｂ２はスキャナカバーＢ１の副走査方向Ｓにおける基準側突き当て面、Ｂ３はスキャナカバーＢ１の主走査方向における基準側突き当て面、Ｂ４は基準側突き当て面Ｂ３と逆側の規制面、Ｂ５は基準側突き当て面Ｂ２と逆側の規制面である。
【００７６】
７はディスク状の読取媒体であるディスク大、８はディスク大７より外径の小さなディスク小である。
【００７７】
通常の定形サイズの原稿は基準側突き当て面Ｂ２と基準側突き当て面Ｂ３の交わる位置である基準コーナーＢ６に位置を合わせて載置する。
【００７８】
５は圧板本体であり、この圧板本体５はその端部２箇所に配されたヒンジ５ａにより回動可能に構成され、原稿載置台にかぶさるように配設されている。また、圧板本体５にはコンタクトガラスＧに密接するような白地６が配設されている。厚みのある原稿でも周辺までコンタクトガラスＧに密接するように圧板本体５と白地６との間にはスポンジが配設されている。
【００７９】
圧板本体５を閉じることで原稿は位置が安定し、かつ外部の光が入ることにより読み取った画像に悪影響が出ないようになっている。
【００８０】
図７に詳細を示すように、基準側突き当て面Ｂ３と規制面Ｂ５には隅部Ｂ７に近い端部周辺を切り欠くように構成された規制面Ｒが設けられている。図７ａは形状説明図、図７ｂはディスクを載置した状態を示す説明図である。
【００８１】
規制面Ｒはディスク小８の外径と略等しい曲率を有する規制面Ｒｄ１、Ｒｄ２と、ディスク大７の外径と略等しい曲率を有し、規制面Ｒｄ１、Ｒｄ２の隅部Ｂ７から遠い側に配設された規制面Ｒｃ１、Ｒｃ２と、規制面Ｒｃ１、Ｒｄ１の円筒面を通る面であるＬ３、規制面Ｒｃ２、Ｒｄ２の円筒面を通る面であるＬ６からなる。規制面Ｒｃ１、Ｒｃ２の曲率半径は約６０ｍｍ、規制面Ｒｄ１、Ｒｄ２の曲率半径は約４０ｍｍである。
【００８２】
面Ｌ３は基準側突き当て面Ｂ３と同一面を有する面Ｌ１、Ｌ２と平行で段差Ａを有している。
【００８３】
面Ｌ６は規制面Ｂ５と同一面を有する面Ｌ４、Ｌ５と平行で段差Ｂを有している。
【００８４】
複写したいオリジナルのラベルを持つディスクを規制面Ｒに突き当てるように置くと、ディスクのサイズが大の場合は規制面Ｒｃによって、ディスクのサイズが小の場合は規制面Ｒｄによってディスクの位置が決まる。その際のディスクのサイズが小の場合はディスクが隅部Ｂ７から離れにくい形状となっているので位置ずれが出にくくなっている。
【００８５】
ディスク７及び８の中心位置７ｂ、８ｂの差Ｘは規制面Ｒの位置と曲率より計算可能である。
【００８６】
ディスク７または８を置いた後、圧板Ｃを閉め、記録用ＣＤ−Ｒをセットし、操作部Ｅからディスクサイズの大小を設定し、ＣＤ−Ｒラベルコピーを行うボタン等を押下する。ディスク７または８が載置された際のディスク中心位置は計算可能であるため、装置はディスクの大小サイズの設定に応じて外径分読み取りを行い、中央部とディスク外周より外側をマスキング処理し、いわゆるラベル面のみを切り出して記録画像として出力することができる。
【００８７】
主走査方向の段差Ａを副走査方向の段差Ｂより小さくしたことで、１次元読取素子の素子数で規制される主走査読取幅を有効に使用し、副操作移動量を増やすだけで対応可能な段差Ｂを大きくすることでディスクの規制面となるＲｃ２、Ｒｄ２を大きくとってディスクの位置を安定させることとの両立が可能である。
【００８８】
段差Ａの範囲内の領域は主走査読取幅の中に含めてもかまわないし、通常ディスク上のラベル画像部分はディスク外径いっぱいではなく所定量（１〜２ｍｍ）程度空白をもって印刷されているため段差Ａを前記の空白領域（１〜２ｍｍ）と一致させこの部分を読み取らないようにすることで段差Ａ分の読取素子幅を増やすことなく対応でき、ディスクを読み取らないタイプの画像読取装置に比べてコストアップすることなくディスク読取機能に対応できる。
【００８９】
前述のように構成することで通常の定形サイズの原稿は、規制面Ｂ５を基準としないため規制面Ｒの影響を受けずに載置することが可能である。また、副走査方向が長い定形サイズの原稿は、基準側突き当て面Ｂ３の基準コーナーＢ６からの距離を長くとってあるため規制面Ｒの影響を受けずに突き当て可能で規制面Ｒによって定形サイズの原稿の突き当て操作性や精度を損なうことがない。
【００９０】
以上説明したように、本実施例によれば、ＣＤ−Ｒからラベル面のみを切り出して、記録用ＣＤ−Ｒの所定の位置に記録することができるので、生産性の高いラベル印刷を行うことを可能となる。
【実施例３】
【００９１】
実施例３である“画像読取記録装置”について説明する。本実施例の全体構成および制御構成は実施例１と同様なので、同等の部分については一部説明を省略する。
【００９２】
図８〜１１を用いて読取部Ｂの構成を詳細に説明する。
Ｂ１はコンタクトガラスＧをカバーするスキャナカバー、Ｂ２はスキャナカバーＢ１の副走査方向Ｓにおける基準側突き当て面、Ｂ３はスキャナカバーＢ１の主走査方向における基準側突き当て面、Ｂ４は基準側突き当て面Ｂ３と逆側の規制面、Ｂ５は基準側突き当て面Ｂ２と逆側の規制面である。
【００９３】
７はディスク状の読取媒体であるディスク大、８はディスク大７より外径の小さなディスク小、９はディスク保持レバーである。
【００９４】
通常の定形サイズの原稿は基準側突き当て面Ｂ２と基準側突き当て面Ｂ３の交わる位置である基準コーナーＢ６に位置を合わせて載置する。
【００９５】
５は圧板本体であり、この圧板本体５はその端部２箇所に配されたヒンジ５ａにより回動可能に構成され、原稿載置台にかぶさるように配設されている。また、圧板本体５にはコンタクトガラスＧに密接するような白地６が配設されている。厚みのある原稿でも周辺までコンタクトガラスＧに密接するように圧板本体５と白地６との間にはスポンジが配設されている。
【００９６】
圧板本体５を閉じることで原稿は位置が安定し、かつ外部の光が入ることにより読み取った画像に悪影響が出ないようになっている。
【００９７】
図９に詳細を示すように、規制面Ｂ５部分にはＢ５に連続した外形形状を有するディスク保持レバー９が設けられている。
【００９８】
ディスク保持レバー９は回動中心９ａを中心に回動可能になっている。ディスク保持レバー９のスキャナカバーＢ１の内部にはディスク保持レバー９と一体化された付勢アーム９ｂがあって付勢バネ９ｃでディスク保持レバー９が規制面Ｂ５部分に引き寄せられて閉じる方向に付勢している。ディスク保持レバー９を開き、ディスク７または８を図１０、１１の位置にセットしてディスク保持レバー９を放すと前述のようにディスク保持レバー９が閉じて、ディスク７または８は、ディスク保持レバー９、基準側突き当て面Ｂ３、規制面Ｂ５部分、の３箇所で保持され位置が決まる。
【００９９】
ディスク保持レバー９は、回動中心９ａと隅部Ｂ７との距離がディスク大７の直径より大きく設定（たとえば１５０ｍｍ）されているのでディスクがディスク保持レバー９の回動円周方向外側に飛び出すことがない。
【０１００】
また、ディスク保持レバー９のコンタクトガラスＧ側には所定の（たとえば１．５ｍｍ）の高さを有する凹部９ｄが設けられているのでディスクが厚み方向に飛び出すこともない。凹部は基準側突き当て面Ｂ３や規制面Ｂ５部分の側に設けるとディスク保持をより安定させることができる。
【０１０１】
複写したいオリジナルのラベルを持つディスクは隅部Ｂ７に対して所定の位置に保持されるため、ディスク７及び８の中心位置７ｃ、８ｃは隅部Ｂ７の位置とディスクの径によって計算可能である。
【０１０２】
ディスク７または８を置いた後、圧板Ｃを閉め、記録用ＣＤ−Ｒをセットし、操作部Ｅからディスクサイズの大小を設定し、ＣＤ−Ｒラベルコピーを行うボタン等を押下する。ディスク７または８が載置された際のディスク中心位置は計算可能であるため、装置はディスクの大小サイズの設定に応じて外径分読み取りを行い、中央部とディスク外周より外側をマスキング処理し、いわゆるラベル面のみを切り出して記録画像として出力することができる。
【０１０３】
ディスク保持レバー９でディスクを保持することでディスク位置が安定し、圧板Ｃを閉める際にディスクがずれることを防止できる。
【０１０４】
また、ディスク保持レバー９の回動角度を所定範囲で検出するディスク保持レバー検知センサ９ｅを設けることで、ディスク保持レバー９が、
・ディスク保持なし（定形原稿使用）
・ディスク大７を保持
・ディスク小８を保持
のいずれの状態にあるかを検出できる。
【０１０５】
本実施例では、ディスク保持レバー検知センサ９ｅには２つのセンサ素子を付勢アーム９ｂが回動して通過する位置に配置し、ディスク保持レバー９の概略位置を検出したが、回転型ボリウム等で詳細な角度を検出して通常使用されないディスクサイズに相当する位置にディスク保持レバー９がある場合は警告を表示するようにしてもかまわない。
【０１０６】
次にコピー操作時にＣＤ−Ｒラベルコピーの指示やディスクサイズの選択等の操作を省略する制御について説明する。コピー指示ボタンが押されたとき、ディスク保持レバー９が図９の位置である場合、ディスク保持なし位置と検出されるので、通常の原稿をコピーすると判断して動作する。ここで動作の際に記録媒体としてＣＤ−Ｒがセットされていた場合、エラーとしてコピーを行わない。このようにすることで誤ってＣＤ−Ｒに通常原稿用の画像を送って記録してしまい、機内を汚してしまう等のご操作を防止できる。
【０１０７】
同様にディスク保持レバー９が図１０の位置である場合はディスク大７が、ディスク保持レバー９が図１１の位置である場合はディスク小８がセットされていると判断してＣＤ−Ｒラベルコピーモードとして動作する。この時、記録用のＣＤ−Ｒディスクがセットされていない場合はディスクのセットを促すメッセージを表示する。また、ディスク保持レバー９の位置から判断したディスクサイズが記録部Ａで検出した記録用のＣＤ−Ｒディスクのサイズと異なる場合は警告を表示して停止してもかまわないし、自動的に画像をズームして記録用のＣＤ−Ｒディスクのサイズに合わせて記録してもかまわない。
【０１０８】
ディスク保持レバー９は、閉じた状態で規制面Ｂ５に連続した外形形状を有するように構成したので、定形原稿使用の際にディスク保持レバー９が操作の妨げになることがなく、また定形原稿のセット精度に悪影響を与えることもない。
【０１０９】
以上説明したように、本実施例においても、ＣＤ−Ｒからラベル面のみを切り出して、記録用ＣＤ−Ｒの所定の位置に記録することができるので、生産性の高いラベル印刷を行うことを可能となる
【図面の簡単な説明】
【０１１０】
【図１】実施例１の構成を示す斜視図
【図２】記録部の構成を示す斜視図
【図３】制御系の構成を示すブロック図
【図４】画像読取部の構成を示す斜視図
【図５】ディスク規制部を示す図
【図６】実施例２における画像読取部の構成を示す斜視図
【図７】ディスク規制部を示す図
【図８】実施例３における画像読取部の構成を示す斜視図
【図９】画像読取部の上面図
【図１０】画像読取部にディスク大をセットした状態の上面図
【図１１】画像読取部にディスク小をセットした状態の上面図
【符号の説明】
【０１１１】
Ａ      記録ユニット
Ｂ      読取ユニット
Ｇ      コンタクトガラス
Ｒ      規制面
７      ディスク大
８      ディスク小
９      ディスク保持レバー
【図１】
2006023490.tif 000003
【図２】
2006023490.tif 000004
【図３】
2006023490.tif 000005
【図４】
2006023490.tif 000006
【図５】
2006023490.tif 000007
【図６】
2006023490.tif 000008
【図７】
2006023490.tif 000009
【図８】
2006023490.tif 000010
【図９】
2006023490.tif 000011
【図１０】
2006023490.tif 000012
【図１１】
2006023490.tif 000013